(57)【要約】【課題】  隣接して配置する各役物が全体として一体であるかのように見栄え良く見える役物を遊技盤上に備えたパチンコ遊技機を提供する。【解決手段】  本パチンコ遊技機は、遊技盤３の表面にゲート（第一役物）１と入賞口（第二役物）２を備える。これらの各役物１、２は各々台座部１２、２２を備える。また、ゲート１のゲート下側端部１２１は遊技盤表面に対して鋭角である逆傾斜面を備え、ゲート下側端部１２１以外のゲート端部１２２と、ゲート２のゲート端部２２２は鈍角であり山裾形状である。このようなゲート１と入賞口２とを、ゲート下側端部１２１を入賞口端部２２２上に覆い被せるように組み合わせて配置する。このように配置されたゲート１と入賞口２は、つなぎ目が目立たず、一体とした役物であるかのように見える。また、ゲート１と入賞口２間の距離を近くすることができ、ゲート本体１１を通過した遊技球を容易に入賞口本体２１に入賞できる。【選択図】図４
2007307421.tif 000002
【特許請求の範囲】
【請求項１】
上下に隣接配置される第一役物と第二役物との一対の役物を備えるパチンコ遊技機において、該第一役物は、遊技盤に取り付けられるための第一台座部を有し、該第二役物は、遊技盤に取り付けられるための第二台座部を有し、該第一台座部及び該第二台座部のうちの上方の台座部のうちの、下方の台座部に隣接される端部には、上記遊技盤表面に対して鋭角をなす逆傾斜面を有し、上記下方の台座部のうちの、上記上方の台座部に隣接される端部には、上記遊技盤表面に対して鈍角をなす正傾斜面を有しており、上記上方の台座部のうちの前記端部の厚さを上記下方の台座部のうちの前記端部の厚さよりも大きくしたことを特徴とするパチンコ遊技機。
【発明の詳細な説明】
【技術分野】
【０００１】
本発明は遊技盤上に配置される役物を備えるパチンコ遊技機に関する。更に詳しく言えば、遊技盤上に少なくとも隣接配置される一対の役物であって、各々の役物は全体として一体であるかのように見栄え良く見えるパチンコ遊技機に関する。
【背景技術】
【０００２】
従来のパチンコ遊技機の遊技盤には、図１１及び図１２に示すように、遊技に必要となる表示装置、ゲート、入賞口、大入賞口、風車、普通役物等の各種役物が設けられている。また、大入賞口２及びゲート４等の役物には、遊技盤３上に取り付けるための台座部２２、４２が各々設けられている。これらの各台座部の端部２２１、４２１には、端部先端と遊技盤面との段差をなくすために、遊技盤３の表面に対して鈍角βとなる正傾斜面Ｋ2 を設けている〔図６（ａ）参照〕。この正傾斜面によって、遊技盤３面を落下する遊技球が、役物の端部先端に打ち当たって各台座部の端部２２１、４２１の欠損が発生することを防止している。
【発明の開示】
【発明が解決しようとする課題】
【０００３】
一方、パチンコ遊技機の遊技盤３上には複種類の役物を任意の場所に配置されることが多いが、パチンコ遊技の興趣を増すために、複数種類の役物を互いに近接して配置することが好ましい場合がある。しかし、図１１及び図１２に示すように、２種類の役物２、４を近接して配置しようとしても、各役物の台座部端部２２１、４２１の各正傾斜面（Ｋ2 ）があるため、一定距離（通常、１ｍｍ程度）未満に近接させることができない。従って、この見栄えが必ずしも良くない。また、隣接配置した役物同士の境界部分についても、各役物の台座部端部２２１、４２１の正傾斜面が向かい合って配置されるため、両役物間の間隔が比較的大きくなるので、この間に遊技球が入って入賞せずに他所に跳ね出る場合もあった。
【０００４】
この役物が近接して配設できない問題に対し、複数種類の役物同士を一体構成物として遊技盤上に配置するという方法がある。しかし、一体構成物となった役物は、役物の組合わせによる配置の自由度が失われて、役物の汎用性が低下してしまう。
【０００５】
本発明は、上記観点に鑑みてなされたものであり、一対の役物を互いに近接させて遊技盤上に設置することができ、各々の役物が全体として一体であるかのように見栄え良く見える役物を備えたパチンコ遊技機を提供することを目的とする。
【課題を解決するための手段】
【０００６】
本発明のパチンコ遊技機は、上下に隣接配置される第一役物と第二役物との一対の役物を備えるパチンコ遊技機において、該第一役物は、遊技盤に取り付けられるための第一台座部を有し、該第二役物は、遊技盤に取り付けられるための第二台座部を有し、該第一台座部及び該第二台座部のうちの上方の台座部のうちの、下方の台座部に隣接される端部には、上記遊技盤表面に対して鋭角をなす逆傾斜面を有し、上記下方の台座部のうちの、上記上方の台座部に隣接される端部には、上記遊技盤表面に対して鈍角をなす正傾斜面を有しており、上記上方の台座部のうちの前記端部の厚さを上記下方の台座部のうちの前記端部の厚さよりも大きくしたことを特徴とする。
【０００７】
ここでいう「役物」は、パチンコ遊技機の遊技盤表面に設けられるもの全てを意味し、例えば、表示装置、ゲート、入賞口（大入賞口等も含む）、風車、普通役物等を含むものとする。
上記一対の役物の組み合わせ及びの配置方法としては、種々のものを選択できるが、例えば、一方の逆傾斜面を有する台座部を備える上記役物はゲートであり、上記他方の正傾斜面を有する台座部を備える上記役物は大入賞口であり、上記ゲートが該大入賞口に対して上側に配置されているものとすることができる。
【０００８】
また、上記「逆傾斜面」とは、図６（ａ）に示すように、遊技盤表面Ｈに対して鋭角（α）をなす面Ｋ1 をいう。即ち、この遊技盤表面Ｈとこの逆傾斜面Ｋ1とがなす角度が鋭角となる。そして、上記「正傾斜面」とは、遊技盤表面Ｈに対して鈍角（β）をなす面Ｋ2 をいう。即ち、この遊技盤表面Ｈとこの正傾斜面Ｋ2 とがなす角度が鈍角（β）となる。
この逆傾斜面と正傾斜面とを組み合わせると、（１）両者が実質上隙間なく密着配置されて、両者が一体となり１つの板状体のように構成されてもよいし〔図６（ｂ）参照〕、（２）両傾斜面間に楔状隙間Ｓが設けられて、表面側からみると両者間の隙間が視認されず、実質上１つの板状体のように視認される構成とされてもよい〔図７参照〕。
【発明を実施するための最良の形態】
【０００９】
以下、本発明のパチンコ遊技機を図１〜６に基づいて実施例により詳細に説明する。図１は、本パチンコ遊技機において役物を遊技盤に配置した状態を示す正面図、図２は第一役物であるゲートと第二役物である入賞口を組み合わせた状態を示す正面図、図３は図２に示す２つの役物を組み合わせ状態の要部拡大正面図、図４は図３に示す組み合わせ状態を側面からみた要部拡大説明面、図５はゲートと入賞口とを組み合わせようとした状態を側面からみた説明図、図６（ａ）は２つの役物の傾斜面同志を組み合わせる前の状態及び図６（ｂ）はその組み合わせた後の状態の組み合わせ部分を示す拡大断面図である。
本パチンコ遊技機は、図１に示すように、遊技盤３の表面Ｈに第一役物であるゲート１と、第二役物である入賞口２とを備える。ゲート１は、図３〜図５に示すように、ゲート本体１１とゲート台座部１２とを備える。このゲート台座部１２のうちの下側端部１２１は逆傾斜面Ｋ1 （例えば遊技盤表面Ｈに対する傾斜角度は約４５度である。図６（ａ）のαを示す。）を備え、その左右側端部１２２、１２３及び上側端部１２４は正傾斜面Ｋ2 （遊技盤表面に対する傾斜角度は例えば約１３５度である。）を備える（図３及び図４参照）。
【００１０】
入賞口２は、図２〜図５に示すように、役物本体である入賞口本体２１と、第二台座部である入賞口台座部２２とを備える。また、入賞口台座部２２の全ての外周側端部２２１等は、正傾斜面Ｋ2 （遊技盤表面Ｈに対する傾斜角度は約１３５度である。図６（ａ）のβを示す。）を備える。
【００１１】
ゲート下側端部１２１の逆傾斜面Ｋ1と、入賞口端部２２１の正傾斜面Ｋ2 を組み合わせると、図４及び図６（ｂ）に示すように、互いの傾斜面（Ｋ1 とＫ2）が密接することになり、しかもゲート台座部１２と入賞口台座部２２の板厚は同じであり、ゲート下側端部１２１と入賞口端部２２１とは、段差のない１つの板状体のようになる。
【００１２】
このようなゲート１と入賞口２は、図５に示すように、ゲート下側端部１２１と入賞口端部２２１とを各傾斜面Ｋ1 、Ｋ2 を合わせるように組み合わせて配置すると、図３、図４及び図６（ｂ）に示すように、端部１２１、２２２が密接する。端部１２１、２２２を密接して配置されたゲート１及び入賞口２は、端部１２１、２２２間の継ぎ目が目立たず、全体として一体の役物であるかのように一体感をもって見える。また、上側端部１２４には正傾斜面Ｋ2 を備えるので、ここに遊技球が当たってもこの端部が欠損することもない。
また、ゲート本体１１と入賞口本体２１間の距離を従来より短くすることができたため、ゲート本体１１を通過した遊技球を容易に且つ確実に入賞口本体２１に入賞させることができる。
【００１３】
尚、本各発明においては、前記具体的実施例に示すものに限らず、目的、用途に応じて本発明の範囲内で種々変更した実施例とすることができる。即ち、使用する役物の全体形状、大きさ、材質等は目的・用途の範囲内にて種々選択される。例えばこの役物の全体形状は、上記実施例に示すような略台形に限らず、長方形、正方形、６角形、３角形、半球形、楕円形等とすることができる。
また、上記実施例においては、一対の役物としては大入賞口とゲートとを用いたが、これに限らず、例えば、他の入賞口（天入賞口、右肩入賞口、左肩入賞口、右袖入賞口、左袖入賞口、右下入賞口、左下入賞口等）とゲート、普通電動役物とゲート、表示装置とゲート、風車とゲート、ゲートとゲート等の組み合わせとすることができる。更に、１つのパチンコ遊技機において、上記のように逆傾斜面及び正傾斜面をもつ一対の役物が２組以上配置されてもよい。
【００１４】
上記実施例に示すように、遊技盤表面Ｈに対して鋭角をなす逆傾斜面αと鈍角をなす正傾斜面βとの各角度の合わせると実質上１８０度とすることができる。この場合、上記実施例に示すような略４５度と略１３５度に限らず、略６０度と略１２０度との組み合わせでもよいし、略３０度と略１５０度との組み合わせ等でもよい。また、図７（ａ）及び（ｂ）に示すように、この両角度の合計が１８０度未満となり、両傾斜面間に楔状隙間（縦断面形状において上方に尖っている。）Ｓが設けられるようにされてもよい。この楔状隙間の縦断面形状も種々のものとすることができる。この場合、逆傾斜面Ｋ1 を構成する鋭角が比較的小さなものとされてもよいし、正傾斜面Ｋ2 を構成する鈍角が比較的小さなものとされてもよい。この場合においても、表面側からみれば（人の視認する方向からみれば）、両者間に隙間は視認されないので、両者の一体感が損なわれない。
更に、上記実施例に示すように、第一役物の第一台座部１１の厚さｔ1 と第二役物の第二台座部２２との厚さｔ2 は略同じでもよいが、両者の厚さが異なってもよい。特に、図６（ｂ）の点線に示すもの及び図７（ｂ）に示すように、第一役物の第一台座部１２（その端部１２１）の厚さが、第二役物の第二台座部２２（その端部２２１）の厚さよりも大きなものとする場合には、たとえ段差があっても上から落下してくる遊技球がそのまま下方に落下して入賞口に入賞することとなり、この段差により跳ね返ったりしてその落下方向が変わることがないので、好ましい。
【００１５】
更に、図８に示すように、一つの第二役物である入賞口２の上側に、２つの第一役物であるゲート１ａ、１ｂを各々組み合わせて遊技盤上に配置することができる。この場合、入賞口２の上方側端部には通常の正傾斜面を備え、ゲート１ａ、１ｂの各下側端部は逆傾斜面を備えるものである。尚、この組み合わされるゲートの数は３以上でもよい。また、これらの各傾斜角度は、両者を合わせて１８０度になる範囲において種々の角度を、上記と同様に選択使用できる。更に、一つの第一役物の下側に、複数の第二役物を組み合わせてもよい。
【００１６】
また、図９に示すように、第一役物であるゲート１と第二役物である入賞口２と組み合わせて一体と見えるように遊技盤上に配置を行わず、互いに独立して遊技盤３上に配置してもよい。このようなパチンコ遊技機においても、ゲート１のゲート下側端部１２１の見栄えは悪くなく、役物の用途が広がり、汎用性が高くなる。
【００１７】
また、一対の役物は、上記実施例に示すように上下に配置される場合のみならず、左右方向（又は斜め方向）に配置されるものとすることができる。この場合には、図１０に示すように、第一役物に設けられる逆傾斜面Ｋ1 は、上記実施例に示すようにその第一台座部の下側端部のみではなく、第一役物１ｄの左端部１２４に設けて、第二役物１ｃを、その左側に組み合わせて遊技盤上に配置してもよい。尚、逆傾斜面を第一役物の右端部側に設けて、第二役物を右側に組み合わせてもよい。
【００１８】
更に、第一役物と第二役物とが隣接する部分は、例えば第一役物の全体形状が四角形の場合を考えると、一辺（一辺全体）又は二辺（全体）以上だけでなく、例えば、下辺の一辺と左辺の下方一部と右辺の下方一部とからなる「コ」の字状の端部部分とすることができる。即ち、上端中央側にコの字形の凹部を備える第二役物（例えば大入賞口等）と、この第二役物の凹部に、下方の一部をはめ合わせることができるような第一役物（例えばゲート等）との組み合わせ（全体としては凸形状となる。）とすることができる。
【００１９】
本発明のパチンコ遊技機においては、逆傾斜面を備える役物と、この逆傾斜面と密着等される正傾斜面を備える他の役物を互いに組み合わせて、一枚の板状体のように構成され、また、一方の役物と他方の役物とを近接して配置できる。従って、本パチンコ遊技機において使用される一対の役物の一体感に優れ、且つ見栄えにも優れ、しかも、この両者の役物間に遊技球が入りにくくなる。また、球の落下経路に第一台座部と第二台座部との接合部分が位置しない（接合ラインが遊技盤面側にオフセットされる）ため、当該箇所における球の通過が安定する。
【図面の簡単な説明】
【００２０】
【図１】本実施例のパチンコ遊技機において、役物を遊技盤に配置した状態を示す正面図である。
【図２】本実施例のパチンコ遊技機において、第一役物であるゲートと第二役物である入賞口を組み合わせた状態を示す正面図である。
【図３】図２に示す２つの役物を組み合わせ状態の要部拡大正面図である。
【図４】図３に示す組み合わせ状態を側面からみた要部拡大説明図である。
【図５】本実施例のパチンコ遊技機において、第一役物であるゲートと第二役物である入賞口とを組み合わせようとした状態を側面からみた説明図である。
【図６】（ａ）は本実施例において２つの役物の傾斜面同志を組み合わせる前の状態の組み合わせ部分を示す拡大断面図、（ｂ）はその組み合わせた後の状態の組み合わせ部分を示す拡大断面図である。
【図７】（ａ）は２つの役物の台座部の厚さがほぼ同じであり且つ２つの傾斜面間に楔状隙間を有する組み合わせ部分を示す拡大断面図、（ｂ）は第一役物の第一台座部の厚さが第二役物の第二台座部の厚さよりも大きく且つ２つの傾斜面間に楔状隙間を有する組み合わせ部分を示す拡大断面図である。
【図８】入賞口に２つのゲートを配置した状態を示すパチンコ遊技機の正面図である。
【図９】入賞口と２つのゲートとを各々独立に配置した状態を示すパチンコ遊技機の正面図である。
【図１０】２つの役物を左右に組み合わせた状態を示す模式図である。
【図１１】従来の役物を組み合わせた状態を示す、要部拡大した正面図である。
【図１２】図１１に示す要部拡大状態を側面からみた説明図である。
【符号の説明】
【００２１】
１、１ａ〜ｇ；ゲート、１１；ゲート本体、１２；ゲート台座部、１２１；ゲート下側端部、１２２；ゲート左側端部、１２３；ゲート右側端部、１２４；ゲート上側端部、２；入賞口、２１；入賞口本体、２２；入賞口台座部、２２１；台座部端部、３；遊技盤、４；ゲート、４２；台座部、４２１；台座部端部、Ｋ1 ；逆傾斜面、Ｋ2 ；正傾斜面、Ｈ；遊技盤表面、α；遊技盤表面と逆傾斜面とのなす角度、β；遊技盤表面と正傾斜面とのなす角度、ｔ1 ；ゲートの台座部（端部）の厚さ、ｔ2 ；入賞口の台座部（端部）の厚さ、Ｓ；楔状隙間。
【図１】
2007307421.tif 000003
【図２】
2007307421.tif 000004
【図３】
2007307421.tif 000005
【図４】
2007307421.tif 000006
【図５】
2007307421.tif 000007
【図６】
2007307421.tif 000008
【図７】
2007307421.tif 000009
【図８】
2007307421.tif 000010
【図９】
2007307421.tif 000011
【図１０】
2007307421.tif 000012
【図１１】
2007307421.tif 000013
【図１２】
2007307421.tif 000014